(57)【要約】【課題】簡便に男性器に装着して使用することができ、良好な装着状態を確保して尿漏れを有効に防止することが可能な吸収性物品を提供する。【解決手段】本発明の吸収性物品１ａは、一端の少なくとも一部が開口する袋状に形成されるとともに、一の面に男性器８２を挿入するための男性器挿入孔３が形成された尿採取用袋体２と、この尿採取用袋体２の開口部４の周縁の一部から延出され、尿採取用袋体２の開口部４を覆うように折り返すことによって開口部に蓋をする蓋体５と、を備え、尿採取用袋体２は、少なくとも一部が、液透過性材料からなる内側シート１８と液不透過性材料からなる外側シート２０との間に吸収体２２が挟み込まれた積層シート１４から構成されてなり、男性器挿入孔３に使用者の男性器８２を挿入し、使用者の排泄した尿を尿採取用袋体２の内側シート１８を透過させて吸収体２２にて尿を吸収保持する。【選択図】図１Ｄ
2011030962.tif 000002
【特許請求の範囲】
【請求項１】
一端の少なくとも一部が開口する袋状に形成されるとともに、一の面に男性器を挿入するための男性器挿入孔が形成された尿採取用袋体と、
前記尿採取用袋体の前記男性器挿入孔が形成された面側の前記開口部の周縁の少なくとも一部から延出され、前記尿採取用袋体の前記開口部を覆うように折り返すことによって前記開口部に蓋をする蓋体と、を備え、
前記尿採取用袋体は、その少なくとも一部が、液透過性材料からなる内側シートと液不透過性材料からなる外側シートとの間に吸収体が挟み込まれた積層シートから構成されてなり、
前記男性器挿入孔に使用者の男性器を挿入し、前記使用者の排泄した尿を前記尿採取用袋体にて採取し、前記尿採取用袋体の前記内側シートを透過させて前記吸収体にて前記尿を吸収保持する吸収性物品。
【請求項２】
前記尿採取用袋体は、前記尿採取用袋体の外側面が不透過性材料からなるシートによって構成されている請求項１に記載の吸収性物品。
【請求項３】
前記蓋体は、前記尿採取用袋体の前記開口部を覆うように折り返した状態で前記尿採取用袋体に着脱可能に止着するための止着手段を有する請求項１又は２に記載の吸収性物品。
【請求項４】
前記尿採取用袋体は、前記尿採取用袋体の外側の面に、前記尿採取用袋体を着脱可能に固定するための固定手段を有する請求項１〜３のいずれか一項に記載の吸収性物品。
【請求項５】
前記尿採取用袋体は、袋の側縁部分にマチ部が設けられた袋状のものである請求項１〜４のいずれか一項に記載の吸収性物品。
【発明の詳細な説明】
【技術分野】
【０００１】
本発明は、吸収性物品に関する。更に詳しくは、簡便に男性器に装着して使用することができるとともに、良好な装着状態を確保して尿漏れを有効に防止することが可能な吸収性物品に関する。
【背景技術】
【０００２】
従来、乳幼児用、或いは高齢者・障害者等の成人用の尿パッド等の吸収性物品として、トップシートと、バックシートと、両シートの間の一部に介装された吸収体とを備えた吸収性物品が知られている。
【０００３】
この吸収性物品は、トップシートの表面を着用者の肌に接するように宛がって使用することにより、着用者の排泄した尿はトップシートを透過して、吸収体によって吸収・保持されるとともに、防漏性に優れたバックシートによって、尿が外部に漏洩してしまうことが防止されている。
【０００４】
特に、男性用に特化した吸収性物品として、透液性内面シートと、不透液性外面シートと、これら両シート間に介在する吸液性コアとで構成された周壁を有し、上縁部がペニス挿入可能に開口する袋状の吸収性物品が提案されている（例えば、特許文献１〜３参照）。
【０００５】
また、このような男性用に特化した吸収性物品としては、例えば、トップシートと、バックシートと、これら両シート間に配置された吸収体と、少なくとも一部がトップシート上に位置するギャザーシートを備え、このギャザーシートで男性器を挿入するための開口を形成した吸収性物品や、吸収体を有するパッド本体の内部を目視可能な開口部を有する略袋状に形成され、パッド本体に男性器を挿入する孔が形成された吸収性物品が提案されている（例えば、特許文献４〜６参照）。
【先行技術文献】
【特許文献】
【０００６】
【特許文献１】実開昭６０−６９１１４号公報
【特許文献２】特許第３４９２０５５号公報
【特許文献３】特開２００２−５２０３６号公報
【特許文献４】特開２００４−３５１１３６号公報
【特許文献５】特開２００２−３３６２８５号公報
【特許文献６】特許第３５００２６７号公報
【発明の概要】
【発明が解決しようとする課題】
【０００７】
しかしながら、このような特許文献１〜３に記載された吸収性物品は、使用者の肌側に当接する面のシートが短く、その反対側の面のシートが長くなるように構成された袋状のものであるため、袋体の内部に使用者の男性器が十分に入っているのかが極めて判別し難いという問題があった。
【０００８】
特に、使用者が吸収性物品を自ら装着することが困難であり、介護者の補助を必要とする場合には、介護者の視線から、使用者の肌側とは反対側のシートによって男性器が隠れてしまうため、介護者が男性器の位置を確認することが困難になってしまう。また、高齢者のように陰茎が萎縮した人が使用する場合には、陰茎が袋内に確実に納まっているかの確認が困難であったり、陰茎の向き等が不明のままで装着した場合には、吸収性物品からの尿漏れが生じ易くなってしまうという問題があった。
【０００９】
また、特許文献４に記載の吸収性物品においては、ギャザーシートを配置することにより、間口を狭くして男性器が抜け難いように設計されているが、使用者の肌側とは反対側のシートが長く構成されているため、上記特許文献１〜３に記載の吸収性物品と同様に、使用者の男性器が隠れてしまうという問題は解決されていなかった。
【００１０】
また、特許文献５及び６に記載の吸収性物品は、長手方向の一端が開放されており、また装着し易さの関係から、男性器を挿入する孔よりも下側までしか袋状に形成されていないため、例えば、陰茎が身体の上方に向いた場合や、使用者の姿勢、特に仰向きになった場合等においては、排泄した尿が非常に漏れ易くなってしまうという問題があった。
【００１１】
また、特許文献６には、男性器を装着後に吸収性物品の開口部を接着剤により閉じてしまい完全な袋状を形成する例もあるが、このような場合には、一度開口部を接着して閉じてしまうと、開口部を再度開くことが困難になり、装着中に陰茎がずれてしまった場合等に男性器の位置を直すことが極めて難しくなる。また、自らトイレにて排泄を行うことが可能な着用者の場合には、吸収性物品を一旦外して排泄を行った後、再度、その吸収性物品を装着することが困難になってしまう。
【００１２】
本発明は、このような従来技術の課題を解決するためになされたものであって、簡便に男性器に装着して使用することができるとともに、良好な装着状態を確保して尿漏れを有効に防止することが可能な吸収性物品を提供する。
【課題を解決するための手段】
【００１３】
本発明者は、前記のような従来技術の課題を解決するために鋭意検討した結果、使用者の男性器に装着する吸収性物品として、一の面に男性器を挿入するための男性器挿入孔が形成された袋体と、この袋体の開口部を覆うように折り返すことによって開口部に蓋をする蓋体とを備えた構成とすることによって、上記課題が解決されることに想到し、本発明を完成させた。具体的には、本発明により、以下の吸収性物品が提供される。
【００１４】
［１］  一端の少なくとも一部が開口する袋状に形成されるとともに、一の面に男性器を挿入するための男性器挿入孔が形成された尿採取用袋体と、前記尿採取用袋体の前記男性器挿入孔が形成された面側の前記開口部の周縁の少なくとも一部から延出され、前記尿採取用袋体の前記開口部を覆うように折り返すことによって前記開口部に蓋をする蓋体と、を備え、前記尿採取用袋体は、その少なくとも一部が、液透過性材料からなる内側シートと液不透過性材料からなる外側シートとの間に吸収体が挟み込まれた積層シートから構成されてなり、前記男性器挿入孔に使用者の男性器を挿入し、前記使用者の排泄した尿を前記尿採取用袋体にて採取し、前記尿採取用袋体の前記内側シートを透過させて前記吸収体にて前記尿を吸収保持する吸収性物品。
【００１５】
［２］  前記尿採取用袋体は、前記尿採取用袋体の外側面が不透過性材料からなるシートによって構成されている前記［１］に記載の吸収性物品。
【００１６】
［３］  前記蓋体は、前記尿採取用袋体の前記開口部を覆うように折り返した状態で前記尿採取用袋体に着脱可能に止着するための止着手段を有する前記［１］又は［２］に記載の吸収性物品。
【００１７】
［４］  前記尿採取用袋体は、前記尿採取用袋体の外側の面に、前記尿採取用袋体を着脱可能に固定するための固定手段を有する前記［１］〜［３］のいずれかに記載の吸収性物品。
【００１８】
［５］  前記尿採取用袋体は、袋の側縁部分にマチ部が設けられた袋状のものである前記［１］〜［４］のいずれかに記載の吸収性物品。
【発明の効果】
【００１９】
本発明の吸収性物品は、簡便に男性器に装着して使用することができるとともに、良好な装着状態を確保することができ、尿採取用袋体内部に排泄された尿の漏れを有効に防止することができる。特に、本発明の吸収性物品は、尿採取用袋体内部の状態を、尿採取用袋体の開口部から確認し、尿採取用袋体から延出された蓋体を閉じることによって尿採取用袋体に蓋をすることが可能であるため、例えば、使用者が自ら吸収性物品を装着することができず、介護者が装着を補助する際等に極めて有効である。勿論、使用者が自ら吸収性物品を装着する場合であっても、尿採取用袋体の開口部から男性器の状態を確認し、更に、その開口部から男性器の配置状態を調節することができるため、吸収性物品が男性器から外れてしまったり、ずれたりしてしまうことを有効に防止することが可能であり、良好な装着感を得ることができる。
【図面の簡単な説明】
【００２０】
【図１Ａ】本発明の吸収性物品の一の実施形態を模式的に示す斜視図であり、吸収性物品を着用者と接する側の面とは反対側の面から見た図である。
【図１Ｂ】本発明の吸収性物品の一の実施形態を模式的に示す斜視図であり、吸収性物品を着用者と接する側の面から見た図である。
【図１Ｃ】本発明の吸収性物品の一の実施形態を模式的に示す斜視図であり、蓋体を開けた状態を示す図である。
【図１Ｄ】本発明の吸収性物品の一の実施形態を使用者が装着した状態を模式的に示す断面図である。
【図２Ａ】本発明の吸収性物品の他の実施形態を模式的に示す斜視図であり、吸収性物品を着用者と接する側の面とは反対側の面から見た図である。
【図２Ｂ】本発明の吸収性物品の他の実施形態を模式的に示す斜視図であり、吸収性物品を着用者と接する側の面から見た図である。
【図２Ｃ】本発明の吸収性物品の他の実施形態を模式的に示す斜視図であり、蓋体を開けた状態を示す図である。
【図３】本発明の吸収性物品の更に他の実施形態を模式的に示す斜視図であり、吸収性物品を着用者と接する側の面とは反対側の面から見た図である。
【図４Ａ】本発明の吸収性物品の更に他の実施形態を模式的に示す斜視図であり、吸収性物品を着用者と接する側の面とは反対側の面から見た図である。
【図４Ｂ】本発明の吸収性物品の更に他の実施形態を模式的に示す斜視図であり、吸収性物品を着用者と接する側の面とは反対側の面から見た図である。
【図５Ａ】本発明の吸収性物品の更に他の実施形態を模式的に示す斜視図であり、吸収性物品を着用者と接する側の面とは反対側の面から見た図である。
【図５Ｂ】本発明の吸収性物品の更に他の実施形態を模式的に示す斜視図であり、吸収性物品を着用者と接する側の面とは反対側の面から見た図である。
【図６Ａ】本発明の吸収性物品の製造方法の一例を示す平面図である。
【図６Ｂ】本発明の吸収性物品の製造方法の一例を示す平面図である。
【図７Ａ】本発明の吸収性物品の製造方法の他の例を示す平面図である。
【図７Ｂ】本発明の吸収性物品の製造方法の他の例を示す平面図である。
【図８Ａ】本発明の吸収性物品の製造方法の更に他の例を示す平面図である。
【図８Ｂ】本発明の吸収性物品の製造方法の更に他の例を示す平面図である。
【図９Ａ】本発明の吸収性物品の製造方法の更に他の例を示す平面図である。
【図９Ｂ】本発明の吸収性物品の製造方法の更に他の例を示す平面図である。
【図１０Ａ】本発明の吸収性物品の製造方法の更に他の例を示す平面図である。
【図１０Ｂ】本発明の吸収性物品の製造方法の更に他の例を示す断面図である。
【図１１Ａ】本発明の吸収性物品を構成する尿採取用袋体に形成される男性器挿入孔の形状を模式的に示す説明図である。
【図１１Ｂ】本発明の吸収性物品を構成する尿採取用袋体に形成される男性器挿入孔の形状を模式的に示す説明図である。
【図１１Ｃ】本発明の吸収性物品を構成する尿採取用袋体に形成される男性器挿入孔の形状を模式的に示す説明図である。
【図１１Ｄ】本発明の吸収性物品を構成する尿採取用袋体に形成される男性器挿入孔の形状を模式的に示す説明図である。
【図１１Ｅ】本発明の吸収性物品を構成する尿採取用袋体に形成される男性器挿入孔の形状を模式的に示す説明図である。
【図１１Ｆ】本発明の吸収性物品を構成する尿採取用袋体に形成される男性器挿入孔の形状を模式的に示す説明図である。
【発明を実施するための形態】
【００２１】
以下、本発明の吸収性物品を実施するための形態について、図面を参照しながら具体的に説明する。但し、本発明はその発明特定事項を備える吸収性物品を広く包含するものであり、以下の実施形態に限定されるものではない。
【００２２】
［１］吸収性物品：
本発明の吸収性物品は、図１Ａ〜図１Ｄに示すように、一端の少なくとも一部が開口する袋状に形成されるとともに、一の面に男性器８２を挿入するための男性器挿入孔３が形成された尿採取用袋体２と、この尿採取用袋体２の男性器挿入孔３が形成された面側の開口部４の周縁の少なくとも一部から延出され、尿採取用袋体２の開口部４を覆うように折り返すことによって開口部４に蓋をする蓋体５と、を備え、尿採取用袋体２は、その少なくとも一部が、液透過性材料からなる内側シート１８と液不透過性材料からなる外側シート２０との間に吸収体２２が挟み込まれた積層シート１４から構成されてなり、男性器挿入孔３に使用者８０の男性器８２を挿入し、使用者８０の排泄した尿を尿採取用袋体２にて採取し、尿採取用袋体２の内側シート１８を透過させて吸収体２２にて尿を吸収保持する吸収性物品１ａである。
【００２３】
このような本発明の吸収性物品は、男性器に簡便に装着して使用することができるとともに、良好な装着状態を確保することができ、尿採取用袋体内部に排泄された尿の漏れを有効に防止することができる。
【００２４】
即ち、本発明の吸収性物品は、図１Ｄに示すように、使用者８０（着用者ともいう）の男性器８２（具体的には、陰茎）を尿採取用袋体２の男性器挿入孔３に挿入し、吸収性物品１ａを男性器８２に装着して用いるものである。そして、このようにして吸収性物品１ａを装着した状態で、下着や使い捨ておむつ等を通常の方法にて着用する。使用者８０が尿を排泄した場合には、排泄された尿が尿採取用袋体２内部に一旦採取され、尿採取用袋体２の少なくとも一部を構成する積層シート１４の内側シート１８を透過して、その下層に配置された吸収体２２にて尿が吸収保持される。
【００２５】
そして、本発明の吸収性物品は、吸収性物品を装着する際に、尿採取用袋体内部の状態を、尿採取用袋体の開口部から確認し、尿採取用袋体から延出された蓋体を閉じることによって尿採取用袋体に蓋をすることができる。このため、例えば、男性器挿入孔に男性器を挿入する場合には、尿採取用袋体（以下、単に袋体ということがある）の内側から男性器の先端を引っ張って吸収性物品を装着することができ、男性器挿入孔に男性器をしっかりと挿入し、吸収性物品を安定した状態で装着することができる。
【００２６】
また、男性器挿入孔が形成された面側の開口部の周縁の少なくとも一部から蓋体が延出されているため、装着時に蓋体が邪魔にならず、尿採取用袋体の内部の状態が確認し易い。
【００２７】
また、尿採取用袋体自体に男性器挿入孔が形成されているため、尿採取用袋体の内部に男性器が納まり易くなっている。例えば、開口部より延出された蓋体側に男性器挿入孔が形成されている場合には、尿採取用袋体内部に男性器が納まり難くなり、装着に手間が掛かったり、不適切な状態のままの装着となり尿漏れを生じ易くなってしまう。
【００２８】
このように、本発明の吸収性物品は、使用者が自ら吸収性物品を装着する場合であっても、また、使用者が自ら吸収性物品を装着することが困難であり、介護者が装着を補助する場合であっても、吸収性物品の装着が極めて簡便である。
【００２９】
ここで、図１Ａは、本発明の吸収性物品の一の実施形態を模式的に示す斜視図であり、吸収性物品を着用者と接する側の面とは反対側の面から見た図であり、図１Ｂは、本発明の吸収性物品の一の実施形態を模式的に示す斜視図であり、吸収性物品を着用者と接する側の面から見た図であり、図１Ｃは、本発明の吸収性物品の一の実施形態を模式的に示す斜視図であり、蓋体を開けた状態を示す図である。また、図１Ｄは、本発明の吸収性物品の一の実施形態を使用者が装着した状態を模式的に示す断面図である。
【００３０】
［１−１］尿採取用袋体：
尿採取用袋体は、その一端の少なくとも一部が開口する袋状に形成されるとともに、一の面に男性器を挿入するための男性器挿入孔が形成されたものである。そして、尿採取用袋体の少なくとも一部は、液透過性材料からなる内側シートと液不透過性材料からなる外側シートとの間に吸収体が挟み込まれた積層シートから構成されている。これにより、使用者の排泄した尿を尿採取用袋体にて採取し、更に、採取した尿を上記内側シートを透過させて吸収体にて吸収保持することができる。
【００３１】
なお、この尿採取用袋体は、男性器挿入孔に挿入した男性器から排泄を行った際に、排泄した尿が尿採取用袋体の外に漏れださないように、袋体の外面側が、液不透過性材料からなるシートによって構成されていることが好ましい。例えば、尿採取用袋体の外面側を構成するシートとしては、液不透過性フィルムに不織布を貼り付けたシート（例えば、クロスライクフィルム）からなるものを好適に用いることができる。このような素材のシートを用いることによって、使用者のスキントラブルを有効に防止することができる。なお、このような袋体の外面側を構成するシートは、上記積層シートにおける外側シートとして用いられてもよいし、上記積層シートの更に外側に配置されたものであってもよい。
【００３２】
尿採取用袋体は、上述したように、排泄した尿を吸収保持するための吸収体を有している。本発明においては、液透過性材料からなる内側シートと液不透過性材料からなる外側シートとの間に吸収体が挟み込まれた積層シートの状態で尿採取用袋体の少なくとも一部を構成している。
【００３３】
吸収体は、尿採取用袋体の内側面全体から尿を吸収することができるように配置されていてもよいし、尿採取用袋体における、使用者の肌面側、或いは、その反対側の面側のみに配置されていてもよい。
【００３４】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００３５】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００３６】
吸収体は、その全体が親水性シートによって包み込まれていることが好ましい。このような構成は、吸収体からＳＡＰが漏洩することを防止し、吸収体に形状安定性を付与することができるという利点がある。
【００３７】
積層シートを構成する内側シートは、吸収体の一方の表面を被覆するように配置されるシートであり、尿採取用袋体の内側面の少なくとも一部を構成している。内側シートは、尿採取用袋体の内部に排泄された尿を吸収させる必要から、その少なくとも一部（全部ないし一部）が液透過性材料により構成される。
【００３８】
内側シートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。また、内側シートは単一のシート材によって構成されていてもよいし、複数のシート材によって構成されていてもよい。
【００３９】
積層シートを構成する外側シートは、吸収体の他方の表面を被覆するように配置されるシートであり、吸収体によって吸収保持した尿が外部に漏洩してしまうことを防止する必要から、液不透過性材料によって構成される。
【００４０】
外側シートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、尿採取用袋体の蒸れを防止することができるという利点がある。なお、外側シートを、尿採取用袋体の外面側を構成するシートとする場合は、上記したクロスライクフィルム等を用いることが好ましい。
【００４１】
尿採取用袋体の形状は、男性器、より具体的には陰茎を男性器挿入孔に挿入して、その陰茎を尿採取用袋体の内部に収納することができるようなものであれば特に制限はなく、例えば、使用者の肌に接する面と、その反対側の面（即ち、下着等を着用した場合に着衣側に位置する面）とを、その一端が開口するように接合して袋状に形成したもの等を挙げることができる。
【００４２】
また、図１Ａにおいては、尿採取用袋体の表面形状が矩形の場合の例を示しているが、例えば、逆三角形、ホームベース状の五角形、Ｔ字型等の形状であってもよい。このように構成することによって、使用者の股下部分に相当する部位が細くなり、装着時における違和感を軽減することができる。
【００４３】
なお、本発明の吸収性物品は、図２Ａ〜図２Ｃに示すように、例えば、袋（尿採取用袋体２）の側縁部分にマチ部３２が設けられた吸収性物品１ｂであってもよい。このように構成することによって、開口部４が広くなり、且つ尿採取用袋体２に適度な厚みを持たせることができるため、尿採取用袋体２内部に男性器を良好に収納することができる。特に、介護者が装着を補助する場合に特に有効である。
【００４４】
ここで、図２Ａは、本発明の吸収性物品の他の実施形態を模式的に示す斜視図であり、吸収性物品を着用者と接する側の面とは反対側の面から見た図であり、図２Ｂは、本発明の吸収性物品の他の実施形態を模式的に示す斜視図であり、吸収性物品を着用者と接する側の面から見た図であり、図２Ｃは、本発明の吸収性物品の他の実施形態を模式的に示す斜視図であり、蓋体を開けた状態を示す図である。なお、図２Ａ〜図２Ｃにおいて、図１Ａ〜図１Ｃに示す吸収性物品１ａの各要素と同様に構成されているものについては、同一の符号を付して説明を省略する。
【００４５】
尿採取用袋体の大きさは、使用者の体格や、介護者の有無等の使用状態に応じて適宜決定することができる。例えば、使用者が成人男性である場合には、使用者の上下方向に相当する尿採取用袋体の長さが、８０〜２５０ｍｍであり、使用者の横方向に相当する長さ（幅）が、５０〜２００ｍｍであることが好ましい。
【００４６】
なお、図１Ｄにおいては、尿採取用袋体２の開口部４が、使用者８０の身体上方に向かって開口するように構成された吸収性物品１ａを示しているが、例えば、使用者の横方向、即ち、図３に示すように、尿採取用袋体２の側縁側の一部が開口するように構成されていてもよい。このような吸収性物品１ｃは、例えば、使用者が寝たきりの場合等に、介護者が尿採取用袋体２内部の状態を確認し易くなることがある。なお、図３に示すように、側縁側に開口部４を設ける場合には、一方の側縁全体が開口していなくともよく、例えば、一方の側縁の中央部分の一部や、側縁の左右に片寄った状態で開口部が開口していてもよい。
【００４７】
ここで、図３は、本発明の吸収性物品の更に他の実施形態を模式的に示す斜視図であり、吸収性物品を着用者と接する側の面とは反対側の面から見た図である。なお、図３において、図１Ａに示す吸収性物品１ａの各要素と同様に構成されているものについては、同一の符号を付して説明を省略する。
【００４８】
また、尿採取用袋体は、開口部に蓋をするように折り曲げた蓋体を着脱可能に止着するための止着手段を有していてもよい。図４Ａ及び図４Ｂに示す吸収性物品１ｄは、尿採取用袋体２の外側の面に、開口部４に蓋をするように折り曲げた蓋体５を着脱可能に止着するための止着手段３４を有する場合の例を示している。
【００４９】
ここで、図４Ａ及び図４Ｂは、本発明の吸収性物品の更に他の実施形態を模式的に示す斜視図であり、吸収性物品を着用者と接する側の面とは反対側の面から見た図である。なお、図４Ａ及び図４Ｂにおいて、図１Ａ〜図１Ｃに示す吸収性物品１ａの各要素と同様に構成されているものについては、同一の符号を付して説明を省略する。
【００５０】
止着手段としては、例えば、粘着テープ、メカニカルファスナー（面状ファスナーとも称される）、ホットメルト等を挙げることができる。メカニカルファスナーとは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このメカニカルファスナーは、ループ材の表面にフック材を重ね合わせ、フック材の多数の突起をループ材の表面に係合させることにより、両部材を取外し可能な状態に、且つ、強固に固着させることができるものである。
【００５１】
また、本発明の吸収性物品に用いられる尿採取用袋体は、尿採取用袋体の外側の面に、尿採取用袋体を着脱可能に固定するための固定手段を有していてもよい。このように構成することによって、男性器に装着した吸収性物品を、衣類や使い捨ておむつ等に固定することができ、吸収性物品の位置ずれを有効に防止することができる。なお、このような固定手段は、蓋体に設けてもよい。例えば、図４Ａ及び図４Ｂにおいては、蓋体５の外側面に固定手段３６が設けられた場合の例を示している。
【００５２】
固定手段としては、例えば、粘着テープ、メカニカルファスナー（面状ファスナーとも称される）、ホットメルト等を挙げることができる。
【００５３】
固定手段の大きさや配置する位置については、吸収性物品を衣類やおむつ等の内面に固定することができ、吸収性物品の位置ずれを防止することができる程度の結合力が得られるものであれば特に制限はなく、例えば、尿採取用袋体の形状や製造方法に応じて適宜決定することができる。
【００５４】
また、本発明の吸収性物品においては、図５Ａ及び図５Ｂに示す吸収性物品１ｅのように、蓋体５を着脱可能に止着するための止着手段３４と、吸収性物品１ｅを衣類等に着脱可能に固定するための固定手段３６とを同一の粘着テープやメカニカルファスナーによって構成し、蓋体５を止着した際に余った部分を固定手段３６として活用することもできる。
【００５５】
ここで、図５Ａ及び図５Ｂは、本発明の吸収性物品の更に他の実施形態を模式的に示す斜視図であり、吸収性物品を着用者と接する側の面とは反対側の面から見た図である。なお、図５Ａ及び図５Ｂにおいて、図１Ａ〜図１Ｃに示す吸収性物品１ａの各要素と同様に構成されているものについては、同一の符号を付して説明を省略する。
【００５６】
本発明の吸収性物品を構成する尿採取用袋体を作製する場合には、まず、例えば、図６Ａに示すような、液透過性材料からなる内側シート５８と液不透過性材料からなる外側シート６０との間に吸収体６２が挟み込まれた積層シート５４ａを形成する。次に、得られた積層シート５４ａを折り畳み、折り畳まれた側縁部分を接合して袋状とすることによって、図６Ｂに示すような吸収性物品４１ａの尿採取用袋体４２ａを形成することができる。
【００５７】
なお、図６Ａに示すような積層シート５４ａを形成する際には、使用者の肌側に当接する面（以下、肌当接面ということがある）側に男性器挿入孔４３を形成し、また、積層シート５４ａを折り曲げた際に、積層シート５４ａの一方の端部側が、尿採取用袋体４２ａの開口部４４から延出された蓋体４５を構成するように、上記した一方の端部側における長さが、反対側の端部よりも長くなるように形成することが好ましい。
【００５８】
ここで、図６Ａ及び図６Ｂは、本発明の吸収性物品の製造方法の一例を示す平面図である。なお、図６Ａにおける符号４６は、折り畳んだ積層シート５４ａの側縁部分を接合するための接合部を示している。また、図６Ａ中の一点鎖線は、積層シートを折り畳む際の谷折り線を示している。
【００５９】
図６Ａに示すように、吸収体６２を内側シート５８と外側シート６０との間に介装させる場合には、男性器挿入孔４３が形成されている周囲には吸収体６２が配置されないようにすることが好ましい。例えば、男性器挿入孔４３の周囲まで吸収体６２が配置されていると、男性器挿入孔４３から吸収体６２に含まれるパルプ等がはみ出してしまうことがある。図６Ａにおいては、十字状の切れ目からなる男性器挿入孔４３を形成し、この男性器挿入孔４３の周囲を円形状に避けるようにして吸収体６２が配置された場合の例を示している。
【００６０】
また、図６Ａに示すように、積層シート５４ａを長手方向に対して二つに折り畳み、折り畳んだ側縁部分を接合する際には、肌当接面側とは反対側の端縁から所定の範囲Ｐについては、折り重なる側縁部分の接合を行わないことが好ましい。このように構成することによって、蓋体４５によって尿採取用袋体４２ａの開口部４４に蓋をする際に、肌当接面側とは反対側の端部（符号Ｐによって示される範囲）を開口部４４側に僅かに折り曲げて更に蓋をすることができ、開口部４４からの尿漏れをより有効に防止することができる。
【００６１】
また、上記した止着手段や固定手段を配置する場合には、例えば、積層シート５４ａの長手方向の両端部に配置することによって生産性を向上させることができる。例えば、積層シート５４ａの蓋体４５が形成される側の端部に、衣類やおむつ等に固定するための固定手段を配置し、また、その反対側の端部は、尿採取用袋体４２ａの開口部４４周縁を構成するものとなるため、蓋体４５を着脱可能に止着するための止着手段を配置することが好ましい。
【００６２】
また、本発明の吸収性物品は、例えば、図７Ａ及び図７Ｂに示すような方法によって製造することもできる。ここで、図７Ａ及び図７Ｂは、本発明の吸収性物品の製造方法の他の例を示す平面図である。なお、図７Ａ及び図７Ｂにおいて、図６Ａ及び図６Ｂに示す各要素と同様に構成されているものについては、同一の符号を付して説明を省略する。
【００６３】
図７Ａ及び図７Ｂにおいては、積層シート５４ｂを、その側縁部分の一部が左右に張り出した形状に形成し（図７Ａ参照）、この積層シート５４ｂの左右の側縁部分を内側に向けて折り曲げ、その折り曲げた左右の側縁部分の重なり合う部分、及び袋体の底に相当する積層シート５４ｂの端部を接合することによって尿採取用袋体４２ｂを作製している（図７Ｂ）。
【００６４】
なお、図７Ａにおいても、吸収体６２は、男性器挿入孔４３の周囲を避けるようにして、尿採取用袋体４２ｂの開口部４４に相当する位置まで配置されている。これにより、蓋体４５を折り曲げる際に、尿採取用袋体４２ｂと蓋体４５との境界部分に折り目がつき易くなり、開口部４４を蓋体４５によって確りと閉じることができる。
【００６５】
また、本発明の吸収性物品が、尿採取用袋体の側縁部分にマチ部を有するものである場合には、例えば、図８Ａ及び図８Ｂに示すような方法によって製造することができる。ここで、図８Ａ及び図８Ｂは、本発明の吸収性物品の製造方法の更に他の例を示す平面図である。なお、図８Ａ及び図８Ｂにおいて、図６Ａ及び図６Ｂに示す各要素と同様に構成されているものについては、同一の符号を付して説明を省略する。
【００６６】
図８Ａ及び図８Ｂにおいては、積層シート５４ｃの側縁部分を内側に向けて僅かに折り返し、この状態で、積層シート５４ｃを折り畳み、内側に向けて折り返した側縁部分同士を接合することによって、吸収性物品４１ｃの尿採取用袋体４２ｃを製造している。このように構成することによって、積層シート５４ｃの内側に向けて折り返した側縁部分によりマチ部４８が形成される。
【００６７】
なお、積層シート５４ｃの側縁部分を内側に向けて折り返す際には、積層シート５４ｃの外側部分を構成する、内側シート５８と外側シート６０とによって形成されたフラップ部分のみを折り返してもよいし、吸収体６２の一部を含んだ状態で積層シート５４ｃの側縁部分を折り返してもよい。
【００６８】
また、本発明の吸収性物品は、図９Ａ及び図９Ｂに示すように、男性器挿入孔４３を形成した積層シート５４に、別体のシート６４を重ね合わせて、その両側縁及び開口部４４が形成される側とは反対側の端部を接合することによって、吸収性物品４１ｄの尿採取用袋体４２ｄを形成することもできる。
【００６９】
図９Ａにおいては、別体のシート６４として、不透過性材料からなるシートを用いた場合の例を示しているが、例えば、液透過性材料からなるシートと液不透過性材料からなるシートとの間に吸収体が挟み込まれたシートを用いてもよい。また、別体のシート６４が不透過性材料からなるシートの場合には、表面が波打った蛇腹状のシートを用いてもよい。
【００７０】
なお、上記した別体のシート６４として、吸収体が挟み込まれたシートを用いた場合には、男性器挿入孔４３を形成する側のシートを、不透過性材料からなるシートによって構成してもよい。
【００７１】
ここで、図９Ａ及び図９Ｂは、本発明の吸収性物品の製造方法の更に他の例を示す平面図である。なお、図９Ａ及び図９Ｂにおいて、図６Ａ及び図６Ｂに示す各要素と同様に構成されているものについては、同一の符号を付して説明を省略する。
【００７２】
また、本発明の吸収性物品は、例えば、図１０Ａ及び図１０Ｂに示すように、液透過性材料からなる内側シート５８と液不透過性材料からなる外側シート６０との間に吸収体６２が挟み込まれた積層シート５４ｅとして、吸収体６２の両側縁に立体的に起立可能なように構成された一対の立体ギャザー６６を設け、この一対の立体ギャザー６６の先端側に、別体のシート６５を配置して尿採取用袋体を形成することもできる。このような方法によって尿採取用袋体を形成した場合には、立体ギャザー６６により尿採取用袋体のマチ部が形成される。
【００７３】
立体ギャザーの構成は、従来の吸収性物品に使用されている構成を採用することができる。例えば、撥水性のシート材の一部に伸縮材を配置し、その立体ギャザー伸縮材によってシート材にギャザー（襞）を形成したもの等を好適に用いることができる。
【００７４】
ここで、図１０Ａは、本発明の吸収性物品の製造方法の更に他の例を示す平面図であり、図１０Ｂは、本発明の吸収性物品の製造方法の更に他の例を示す断面図である。なお、図１０Ａ及び図１０Ｂにおいて、図６Ａ及び図６Ｂに示す各要素と同様に構成されているものについては、同一の符号を付して説明を省略する。
【００７５】
［１−１ａ］男性器挿入孔：
本発明の吸収性物品を構成する尿採取用袋体には、男性器（陰茎）を挿入するための男性器挿入孔が形成されている。男性器挿入孔の孔形状については特に制限はないが、使用者の陰茎を根元まで男性器挿入孔に挿入することが可能なものであることが好ましく、男性器挿入孔に陰茎を挿入した際に、男性器挿入孔と陰茎との隙間から尿が容易に漏れださないような孔形状のものであることが更に好ましい。
【００７６】
男性器挿入孔は、尿採取用袋体の外側面と内側面とを連通するような孔だけでなく、尿採取用袋体に切れ目を入れて形成されたものであってもよい。例えば、男性器挿入孔としては、図１１Ａに示すような、円形等の男性器挿入孔３の他、図１１Ｂに示すような、十字状の切れ目からなる男性器挿入孔３、図１１Ｃに示すような、Ｘ字状（バツ印状）の切れ目からなる男性器挿入孔３、図１１Ｄに示すような、四つの円弧を組み合わせた形状の男性器挿入孔３、図１１Ｅに示すような、舌片状の切れ目からなる男性器挿入孔３、図１１Ｆに示すような、Ｈ状の切れ目からなる男性器挿入孔３等を挙げることができる。図１１Ｂ〜図１１Ｆに示すような形状の男性器挿入孔３の場合には、使用者の陰茎の大きさに応じて挿入孔が広がるため男性器を良好に保持することができるとともに、切れ目によって孔の周囲に弁が形成されるため、男性器挿入孔３からの尿の逆流が起こり難くなるという利点がある。
【００７７】
ここで、図１１Ａ〜図１１Ｆは、本発明の吸収性物品を構成する尿採取用袋体に形成される男性器挿入孔の形状を模式的に示す説明図である。
【００７８】
［１−２］蓋体：
蓋体は、尿採取用袋体の男性器挿入孔が形成された面側の開口部の周縁の少なくとも一部から延出されたものである。このような蓋体を備えた構成とすることによって、尿採取用袋体内部における男性器の位置の確認及び位置の矯正を簡便に行うことができるとともに、排泄した尿が尿採取用袋体の開口部から漏れるのを有効に防止することができる。
【００７９】
また、このような開口部から延出するように形成された覆い型の蓋体であれば、開口部を一旦閉じた後でも蓋体の開閉を容易に行うことが可能であるため、吸収性物品の使用中に、尿採集用袋体内部で男性器の位置がずれてしまったとしても、開口部を覆っている蓋体を外して男性器の位置を簡単に直すことができる。
【００８０】
蓋体は、尿採集用袋体の開口部に蓋をするためのものであるため、尿採集用袋体の内部に排泄された尿が漏洩しないように、少なくとも開口部を覆う部分が液不透過性材料からなるシートによって構成されていることが好ましい。このようなシートとしては、例えば、尿採集用袋体の外面側を構成するシート、例えば、クロスライクフィルム等を好適例として挙げることができる。また、蓋体の一部に、二枚のシートによって吸収体が挟み込まれたシートを用いてもよい。例えば、尿採集用袋体の少なくとも一部を構成する積層シートが延出されて、上記蓋体の少なくとも一部を構成していてもよい。このように、蓋体は、尿採集用袋体と一体的に形成されたものであってもよいし、尿採集用袋体の開口部周縁に接続されたものであってもよい。
【００８１】
蓋体の大きさについては特に制限はなく、袋体の開口部を閉じることが可能な大きさであればよい。例えば、蓋体の開閉の容易さを考慮した場合、開口部に蓋をするように折り返す部分の長さが２０〜１００ｍｍ程度であることが好ましく、４０〜８０ｍｍ程度であることが更に好ましい。
【００８２】
蓋体は、尿採取用袋体の開口部を覆うように折り返した状態で尿採取用袋体に着脱可能に止着するための止着手段を有していてもよい。なお、このような止着手段は、上述したように尿採取用袋体側に配置されていてもよい。
【００８３】
また、蓋体は、吸収性物品を衣類やおむつ等の内面に着脱可能に固定するための固定手段を有していてもよい。このような固定手段についても、上記した尿採取用袋体に配設する固定手段と同様に構成されたものを用いることができる。
【００８４】
蓋体の孔形状については特に制限はなく、袋体の開口部を閉じることが可能な形状であればよい。例えば、図１Ａに示すような矩形でもよいが、着用中に蓋体の角部分がめくれてしまい、尿採取用袋体の開口部が開いたりすることがないように、略逆三角形、逆五角形のように蓋体の先端に向けて幅が狭くなる形状であることが好ましく、蓋体の角部分に丸み等を持たせた形状のものであることが更に好ましい（例えば、図２Ａ参照）。
【産業上の利用可能性】
【００８５】
本発明の吸収性物品は、男性用の尿パッドとして利用することができる。
【符号の説明】
【００８６】
１ａ，１ｂ，１ｃ，１ｄ，１ｅ：吸収性物品、２：尿採取用袋体、３：男性器挿入孔、４：開口部（尿採取用袋体の開口部）、５：蓋体、１４：積層シート、１８：内側シート、２０：外側シート、２２：吸収体、３２：マチ部、３４：止着手段、３６：固定手段、４１ａ，４１ｂ，４１ｃ，４１ｄ：吸収性物品、４２ａ，４２ｂ，４２ｃ，４２ｄ：尿採取用袋体、４３：男性器挿入孔、４４：開口部（尿採取用袋体の開口部）、４５：蓋体、４６：接合部、４８：マチ部、５４ａ，５４ｂ，５４ｃ，５４ｄ，５４ｅ：積層シート、５８：内側シート、６０：外側シート、６２：吸収体、６４，６５：別体のシート、６６：立体ギャザー、８０：使用者、８２：男性器、Ｐ：反対側の端縁から所定の範囲。
【図１Ａ】
2011030962.tif 000003
【図１Ｂ】
2011030962.tif 000004
【図１Ｃ】
2011030962.tif 000005
【図１Ｄ】
2011030962.tif 000006
【図２Ａ】
2011030962.tif 000007
【図２Ｂ】
2011030962.tif 000008
【図２Ｃ】
2011030962.tif 000009
【図３】
2011030962.tif 000010
【図４Ａ】
2011030962.tif 000011
【図４Ｂ】
2011030962.tif 000012
【図５Ａ】
2011030962.tif 000013
【図５Ｂ】
2011030962.tif 000014
【図６Ａ】
2011030962.tif 000015
【図６Ｂ】
2011030962.tif 000016
【図７Ａ】
2011030962.tif 000017
【図７Ｂ】
2011030962.tif 000018
【図８Ａ】
2011030962.tif 000019
【図８Ｂ】
2011030962.tif 000020
【図９Ａ】
2011030962.tif 000021
【図９Ｂ】
2011030962.tif 000022
【図１０Ａ】
2011030962.tif 000023
【図１０Ｂ】
2011030962.tif 000024
【図１１Ａ】
2011030962.tif 000025
【図１１Ｂ】
2011030962.tif 000026
【図１１Ｃ】
2011030962.tif 000027
【図１１Ｄ】
2011030962.tif 000028
【図１１Ｅ】
2011030962.tif 000029
【図１１Ｆ】
2011030962.tif 000030